(57)【特許請求の範囲】
【請求項１】
刃台上に設けたスライド面に調理刃を設け、この刃台に対し収容体をスライド面に沿って回転可能に支持し、この収容体には被調理物を収容する複数の案内室を設け、この収容体の各案内室で被調理物をスライド面に押さえ付けることができる押圧体を収容体とともに回転するように設け、
前記各案内室は区画壁により形成した各収容筒部の内側に形成され、この各収容筒部は、案内室をスライド面側に開放する押圧開口部と、案内室をスライド面に対する反対側に開放する操作開口部とを有し、
前記押圧体は前記収容体の各案内室で操作開口部から挿入される複数の押え板を有し、この各押え板は、案内室で操作開口部と押圧開口部とを結ぶ方向へ同時に移動し得るように設けられ、この押圧体の各押え板により被調理物を押圧開口部でスライド面に押さえ付けることができ、
前記収容体において、各収容筒部はこの収容体の回転中心部の周りで回転方向へ並設され、この各収容筒部の区画壁は半径方向へ延びる仕切板を有し、この収容体の回転中心部でこの各仕切板の内端部間には、案内室の操作開口部側から押圧開口部側へ延びる支持孔を設けるとともに、この支持孔の外周から各案内室へ連通する隙間を案内室の操作開口部側から押圧開口部側へ延びるように設け、
前記押圧体は、前記収容体の支持孔に案内室の操作開口部側から挿入される回転中心軸と、この回転中心軸の外周から隙間を通って案内室側へ延びる各腕部とを有し、この押圧体の各押え板はこの各腕部に設けられている
ことを特徴とする調理器。
【請求項２】
前記収容体の各仕切板の内端部と前記押圧体の回転中心軸とは、支持孔に対する回転中心軸の挿入許容間隙をあけて互いに近接していることを特徴とする請求項１に記載の調理器。
【請求項３】
各収容筒部の両仕切板の内面間における回転方向間隔は互いに異なることを特徴とする請求項１または請求項２に記載の調理器。
【請求項４】
前記収容体は前記刃台上でケース内に収容されてケースに対し回転可能に支持され、前記押圧体の各押え板もこのケース内に収容され、この押圧体の回転中心軸はこの収容体の上方でこのケースに対し回転可能に支持されてこのケースの内側から外側へ延び、このケースの外側でこの押圧体の回転中心軸に操作部を設けていることを特徴とする請求項１から請求項３のうちいずれか一つの請求項に記載の調理器。
【請求項５】
前記刃台上のスライド面には調理刃が一または二以上設けられ、少なくとも一つの調理刃は可動調理刃としてスライド面から突出する調理可能状態とスライド面の内側に隠れる調理不能状態とを取り得ることを特徴とする請求項１から請求項４のうちいずれか一つの請求項に記載の調理器。
【発明の詳細な説明】
【技術分野】
【０００１】
本発明は、被調理物をスライド面に沿って回転させながら調理する調理器に関するものである。
【背景技術】
【０００２】
下記特許文献１では、調理板上に固定された一つの収納筒内に入れられて調理板上に載せられた被調理物がハンドルの操作に伴い回転する押圧盤により押さえ付けられて収納筒内で回転しながら調理板によりすりおろされる。
【特許文献１】実公昭６０−２２９０６号公報
【発明の開示】
【発明が解決しようとする課題】
【０００３】
しかし、押圧盤を被調理物に押さえ付けながら回転させると、調理板上に固定された一つの収納筒内で被調理物がその収納筒及び調理板に対し回転しながら調理板により調理されるので、調理板上に固定された収納筒以外に、回転する被調理物を支えるものがなく、被調理物の動きが不安定になり易い。また、被調理物が複数種類の場合、一つの収納筒内に各被調理物を同時に入れて調理すると、各被調理物が互いに接触し合って被調理物の動きが不安定になり易い。そのため、被調理物の調理操作が行いにくくなるとともに、複数種類の被調理物を一度に調理することが難しくなる。
【０００４】
この発明は、被調理物をスライド面に沿って回転させながら調理する調理器において、被調理物の動きを安定させて被調理物の調理操作を行い易くするとともに、複数種類の被調理物を一度に調理することを可能にすることを目的としている。
【課題を解決するための手段】
【０００５】
後記実施形態の図面（図１〜１２）の符号を援用して本発明を説明する。
請求項１の発明にかかる調理器は下記のように構成されている。
刃台２上に設けたスライド面１０ａに調理刃１３，１４，１５，２４を設けている。この刃台２に対し収容体５をスライド面１０ａに沿って回転可能に支持している。この収容体５には被調理物を収容する複数の案内室３５を設けている。この収容体５の各案内室３５で被調理物をスライド面１０ａに押さえ付けることができる押圧体６を収容体５とともに回転するように設けている。
【０００６】
従って、収容体５の各案内室３５に被調理物を入れて押圧体６により押しながら収容体５を回転させると、複数種類の被調理物をスライド面１０ａに沿って確実に案内しながら容易に調理することができる。
【０００７】
さらに、請求項１の発明において、前記各案内室３５は区画壁３２，３３により形成した各収容筒部３４の内側に形成され、この各収容筒部３４は、案内室３５をスライド面１０ａ側に開放する押圧開口部３５ａと、案内室３５をスライド面１０ａに対する反対側に開放する操作開口部３５ｂとを有している。従って、被調理物を操作開口部３５ｂから案内室３５に入れて押圧開口部３５ａでスライド面１０ａに当てがうことにより、被調理物を押圧体６により押しながら調理する操作を容易に行うことができる。
【０００８】
さらに、請求項１の発明において、前記押圧体６は前記収容体５の各案内室３５で操作開口部３５ｂから挿入される複数の押え板４２を有し、この各押え板４２は、案内室３５で操作開口部３５ｂと押圧開口部３５ａとを結ぶ方向Ｚへ同時に移動し得るように設けられ、この押圧体６の各押え板４２により被調理物を押圧開口部３５ａでスライド面１０ａに押さえ付けることができる。従って、複数種類の被調理物を押圧体６の各押え板４２により同時に押しながら容易に調理することができる。
【０００９】
さらに、請求項１の発明は下記のように構成されている。
前記収容体５において、各収容筒部３４はこの収容体５の回転中心部３８の周りで回転方向Ｘへ並設され、この各収容筒部３４の区画壁３２，３３は半径方向Ｙへ延びる仕切板３３を有し、この収容体５の回転中心部３８でこの各仕切板３３の内端部３３ａ間には、案内室３５の操作開口部３５ｂ側から押圧開口部３５ａ側へ延びる支持孔３６を設けるとともに、この支持孔３６の外周から各案内室３５へ連通する隙間３７を案内室３５の操作開口部３５ｂ側から押圧開口部３５ａ側へ延びるように設けている。前記押圧体６は、前記収容体５の支持孔３６に案内室３５の操作開口部３５ｂ側から挿入される回転中心軸４０と、この回転中心軸４０の外周から隙間３７を通って案内室３５側へ延びる各腕部４１とを有し、この押圧体６の各押え板４２はこの各腕部４１に設けられている。例えば、各収容筒部３４の両仕切板３３の内面３３ｂ間における回転方向間隔については、請求項３の発明のように互いに異なるようにしてもよいが、すべて同一であってもよい。従って、収容体５や押圧体６の回転支持構造を簡単にすることができる。
【００１０】
請求項１の発明を前提とする請求項２の発明において、前記収容体５の各仕切板３３の内端部３３ａと前記押圧体６の回転中心軸４０とは、支持孔３６に対する回転中心軸４０の挿入許容間隙Ｇをあけて互いに近接している。請求項２の発明では、回転中心軸４０を支持孔３６に挿入した状態で各仕切板３３の内端部３３ａにより確実に支えて押圧体６及び収容体５の回転を円滑に行うことができる。また、各収容筒部３４内の案内室３５を回転中心軸４０により区画するため、互いに隣接する両収容筒部３４の案内室３５のうち一方の案内室３５から他方の案内室３５へ被調理物が侵入するのを防止することができる。
【００１１】
請求項１または請求項２の発明を前提とする請求項３の発明において、各収容筒部３４の両仕切板３３の内面３３ｂ間における回転方向間隔は互いに異なる。その場合、後記実施形態のようにすべての各収容筒部３４でそれぞれの回転方向間隔が互いに異なる構成はもちろんのこと、図示しないが、各収容筒部３４のうち同一の回転方向間隔を有するものも含む。ちなみに、上記回転方向間隔については、例えば収容筒部３４における回転方向Ｘの間隔のうち最大のものである。請求項３の発明では、サイズの異なる各種の被調理物を容易に調理することができる。
【００１２】
請求項１または請求項２または請求項３の発明を前提とする請求項４の発明において、前記収容体５は前記刃台２上で例えば着脱可能に設けたケース３，４内で例えば着脱可能に収容されてそのケース３，４に対し回転可能に支持され、前記押圧体６の各押え板４２もこのケース３，４内に収容され、この押圧体６の回転中心軸４０はこの収容体５の上方でこのケース３，４に対し回転可能に支持されてこのケース３，４の内側から外側へ延び、このケース３，４の外側でこの押圧体６の回転中心軸４０に操作部４４を設けている。請求項４の発明では、刃台１のスライド面１０ａや収容体５や押圧体６の各押え板４２をケース３，４により覆った状態で被調理物を調理するため、調理された被調理物が収容体５内から外側へこぼれ落ちにくくなる。
【００１３】
請求項１から請求項４のうちいずれか一つの請求項の発明を前提とする請求項５の発明において、前記刃台２上のスライド面１０ａには調理刃１３，１４，１５，２４が一または二以上設けられ、少なくとも一つの調理刃１４，１５は可動調理刃１９としてスライド面１０ａから突出する調理可能状態Ｐとスライド面１０ａの内側に隠れる調理不能状態Ｑとを取り得る。請求項５の発明では、各種の調理刃１３，１４，１５，２４を使い分けて調理片形態の異なる各種の被調理物を容易に調理することができる。
【００１４】
請求項５の発明を前提とする第６の発明において、前記可動調理刃１９は刃台２上のスライド面１０ａに対し着脱可能に設けられている。また、第６の発明を前提とする第７の発明において、前記可動調理刃１９には刃体２１を有する表面２２と刃体２１を有しない裏面２３とを設け、前記調理可能状態Ｐでこの可動調理刃１９の表面２２が刃台２上のスライド面１０ａ側に露出し、前記調理不能状態Ｑでこの可動調理刃１９の裏面２３が刃台２上のスライド面１０ａ側に露出する。第６〜７の発明では、着脱可能な可動調理刃１９を簡単な構造にすることができる。
【００１５】
第７の発明を前提とする第８の発明において、前記刃台２上のスライド面１０ａに着脱穴１８を設け、前記可動調理刃１９は前記調理可能状態Ｐ及び調理不能状態Ｑでこの着脱穴１８に対し着脱可能に嵌め込まれる。第８の発明では、可動調理刃１９の着脱構造を簡単にすることができる。
【発明の効果】
【００１６】
本発明は、被調理物をスライド面１０ａに沿って回転させながら調理する調理器において、被調理物の動きを安定させて被調理物の調理を行い易くするとともに、複数種類の被調理物を一度に調理することができる。
【発明を実施するための最良の形態】
【００１７】
以下、本発明の一実施形態にかかる調理器について図１〜１２を参照して説明する。
図１及び図２に示すように、この調理器は、大別して、受け容器１と刃台２と外壁ケース３と蓋ケース４と収容体５と押圧体６とを備えている。
【００１８】
前記受け容器１は、透明なプラスチックにより有底円筒状に成形され、底壁７と周壁８とを有している。この周壁８の外側には取っ手９が設けられている。この底壁７の下側外周には複数のすべり止め７ａが設けられている。
【００１９】
前記刃台２の主体は、プラスチックにより成形され、台板１０とその外周に設けられた周板１１とを有している。図６（ａ）及び図７（ａ）に示すように、この周板１１の下端部が前記受け容器１の周壁８の上端部内側に嵌め込まれて刃台２が受け容器１上に対し着脱可能に載置されている。
【００２０】
前記刃台２の台板１０においては、中心部に回転支持突部１２が形成され、この回転支持突部１２の外周で複数の調理刃（一対のスライス刃１３と一対の千切り刃１４，１５）が周方向へ並設されている。図８に示すように、両スライス刃１３は互いに１８０度間隔で配設されているとともに、両千切り刃１４，１５は互いに１８０度間隔で配設され、この両スライス刃１３と両千切り刃１４，１５とは互いに９０度間隔で配設されている。
【００２１】
両スライス刃１３においては、台板１０上のスライド面１０ａで回転支持突部１２から半径方向Ｙへ延びる落とし孔１６が形成され、図６（ｂ）に示すようにこの落とし孔１６の真上で金属製の刃体１７が落とし孔１６に沿って着脱可能に螺着されている。この刃体１７の片側で刃縁１７ａが形成され、この刃縁１７ａとスライド面１０ａとの間には僅かな隙間(スライス厚)を持たせている。この刃体１７の両側で刃縁１７ａを形成してもよく、その場合には後述する使用時に収容体５及び押圧体６を両側に回転させる。
【００２２】
一方、両千切り刃１４，１５においては、図８及び図９（ａ）（ｂ）に示すようにスライド面１０ａに着脱穴１８が形成され、この着脱穴１８には可動調理刃１９が着脱可能に嵌め込まれている。この着脱穴１８の底部においては、回避溝１８ａが半径方向Ｙへ延びるように形成されているとともに、回避溝１８ａの周方向両側で指当孔１８ｂが貫設されている。この可動調理刃１９においては、図７（ａ）（ｂ）に示すように、プラスチックにより成形された可動台２０に多数の刃体２１が取着され、各刃体２１が半径方向Ｙへ互いに間隔をあけて並設された表面２２とそのような各刃体２１を有しない裏面２３とがこの可動台２０に設けられている。図８及び図７（ａ）（ｂ）に示すように、両千切り刃１４，１５で可動台２０の裏面２３を下向きにして可動調理刃１９を着脱穴１８に嵌め込むと、可動台２０が着脱穴１８の底部に載せられ、可動台２０の表面２２がスライド面１０ａ側に露出して各刃体２１がスライド面１０ａから突出する調理可能状態Ｐとなる。また、図１０（ａ）（ｂ）（ｃ）に示すように、両千切り刃１４，１５で可動台２０の表面２２を下向きにして可動調理刃１９を着脱穴１８に嵌め込むと、可動台２０が着脱穴１８の底部に載せられ、この表面２２の各刃体２１が回避溝１８ａに入ってスライド面１０ａの内側に隠れるとともに可動台２０の裏面２３がスライド面１０ａ側に露出してスライド面１０ａと面一になる調理不能状態Ｑとなる。さらに、図１１（ａ）（ｂ）に示すように、両千切り刃１４，１５のうち一方の千切り刃１４を調理可能状態Ｐにするとともに他方の千切り刃１５を調理不能状態Ｑにすることもできる。前記可動台２０の裏面２３には前記可動台２０の表面２２に並設された各刃体２１の間隔と異なる間隔の各刃体２１を並設してもよい。
【００２３】
前述した両スライス刃１３や両千切り刃１４，１５をスライド面１０ａに有する刃台２に代えて、図１２に示すように調理刃として多数のおろし刃２４をスライド面１０ａに有する刃台２を利用してもよい。この各おろし刃２４においては、落とし孔２５の外周に複数の突起刃２６が並設されている。
【００２４】
前記外壁ケース３は、透明なプラスチックにより円筒状に成形された周壁２７を有している。図６（ａ）及び図７（ａ）に示すように、前記刃台２の周板１１の上端部がこの周壁２７の下端部内側に嵌め込まれ、外壁ケース３が刃台２上に対し載置されて係止部２８により着脱可能に連結されている。
【００２５】
前記蓋ケース４は、プラスチックにより成形され、中心部に形成された回転支持部２９とその回転支持部２９の外周で広がる天壁３０とを有している。図６（ａ）及び図７（ａ）に示すように、前記外壁ケース３の周壁２７の上端部がこの天壁３０の外周部内側に嵌め込まれ、蓋ケース４が外壁ケース３上に対し載置されて係止部３１により着脱可能に連結されている。
【００２６】
前記収容体５は、透明なプラスチックにより成形され、前記刃台２上に載せられた状態で前記外壁ケース３の内側に収容されている。この収容体５においては、図４に示すように、円筒状の周壁３２（区画壁）の内面３２ａから中心部に向けて半径方向Ｙへ延びる複数の仕切板３３（区画壁）が形成され、この周壁３２と各仕切板３３とにより複数の収容筒部３４が周方向へ並設されている。この各収容筒部３４の内側には案内室３５が形成されている。図６（ａ）及び図７（ａ）に示すように、この各収容筒部３４は、案内室３５をスライド面１０ａ側に開放する押圧開口部３５ａと、案内室３５をスライド面１０ａに対する反対側に開放する操作開口部３５ｂを有している。図４に示すように、この各仕切板３３の内端部３３ａ間には、案内室３５の操作開口部３５ｂ側から押圧開口部３５ａ側へ延びる支持孔３６が設けられているとともに、この支持孔３６の外周から各案内室３５へ連通する隙間３７が案内室３５の操作開口部３５ｂ側から押圧開口部３５ａ側へ延びるように設けられている。この各仕切板３３の内端部３３ａの下端部間は回転中心部である回転支持凹部３８により互いに連結されている。この回転支持凹部３８に嵌め込まれた軸受３９には前記刃台２の回転支持突部１２が挿嵌されているとともに、この収容体５の周壁３２の上端部が外壁ケース３の周壁２７の上端部上に載置された状態で、この収容体５が刃台２及び外壁ケース３に対し回転可能に支持されている。この収容体５の周壁３２の外周面は外壁ケース３の周壁２７の内周面に対し若干隙間をあけて面しているとともに、この収容体５の周壁３２の下端部が刃台２のスライド面１０ａに対し若干隙間をあけて面している。この収容体５の各収容筒部３４において、回転方向Ｘ（周方向）で相対向する両仕切板３３の内面３３ｂは回転方向Ｘへ曲線状に凹んで周壁３２の内面３２ａに対し滑らかに連続し、この両仕切板３３の内面３３ｂ間における最大回転方向間隔は互いに異なる大中小３種類のサイズのものからなる。例えば、各収容筒部３４で、中サイズの案内室３５における平面側面積は大サイズの案内室３５における平面側面積の半分以下であり、小サイズの案内室３５における平面側面積は中サイズの案内室３５における平面側面積の半分以下である。また、各収容筒部３４については、２種類のサイズのものであっても、４種類以上のサイズのものであってもよい。
【００２７】
前記押圧体６は、前記収容体５の支持孔３６に案内室３５の操作開口部３５ｂ側から挿入される回転中心軸４０と、この回転中心軸４０の下端部でその外周から隙間３７を通って案内室３５側へ延びるプラスチック製各腕部４１と、各収容筒部３４の案内室３５でこの各腕部４１に設けられたプラスチック製押え板４２とを備えている。図３，４に示すように、前記収容体５の各仕切板３３の内端部３３ａの内周面とこの押圧体６の回転中心軸４０の外周部４０ａとは、支持孔３６に対する回転中心軸４０の挿入許容間隙Ｇ（約０．５ｍｍ〜１０ｍｍ）をあけて互いに近接している。図５に示すように、この押え板４２において、刃台２のスライド面１０ａに面する同一高さ平面上の下面４３には多数の突起４３ａが配設され、外周縁４２ａが各収容筒部３４の内面３２ａ，３３ｂに沿って若干の隙間をあけて形成されている。なお、この押え板４２の外周縁４２ａは収容筒部３４の内面３２ａ，３３ｂに沿っていなくてもよく、押え板４２の外周縁４２ａが収容筒部３４の内面３２ａ，３３ｂの内側に挿入できさえすればよく、それらの形状は問わない。この押圧体６の回転中心軸４０はこの収容体５の上方で前記蓋ケース４の回転支持部２９に対し回転可能に支持されてこの蓋ケース４の内側から外側へ延び、この蓋ケース４の外側でこの回転中心軸４０の上端部に操作部としてのハンドル４４が連結されている。このハンドル４４を回転させると、回転中心軸４０と各腕部４１と各押え板４２とが一体的に回転し、収容体５も各腕部４１及び各押え板４２に押されて回転する。また、このハンドル４４を上下方向Ｚへ移動させると、回転中心軸４０と各腕部４１と各押え板４２とが一体的に上下方向Ｚへ移動し、各押え板４２が刃台２のスライド面１０ａに対し接近または離間する。なお、各押え板４２がばねにより刃台２のスライド面１０ａに向けて常に付勢されるようにしてもよい。
【００２８】
ちなみに、前記外壁ケース３の外径は約１６０ｍｍであり、図６（ａ）及び図７（ａ）に示すように前記押圧体６が最上昇位置にある状態で底壁７からハンドル４４までの最大高さは約３５０ｍｍであり、この押圧体６が最下降位置にある状態で底壁７からハンドル４４までの最大高さは約２８０ｍｍである。
【００２９】
さて、図８や図１１（ａ）に示す刃台２を利用する場合には、各収容筒部３４の案内室３５に異なる種類の被調理物や同一種類の被調理物を入れた状態で、押圧体６のハンドル４４を回転させながら下方へ移動させると、各被調理物は、押圧体６の各押え板４２により下方へ押されて刃台２のスライド面１０ａに押え付けられ、千切り刃１４，１５により筋入れされた後にスライス刃１３により薄切りされて細切りされ、それらの千切り状調理片がスライス刃１３の落とし孔１６から受け容器１に落ちて互いに混ざった状態で集められる。また、図１０（ａ）に示す刃台２を利用する場合には、スライス刃１３により薄切りされたスライス状調理片がスライス刃１３の落とし孔１６から受け容器１に落ちて互いに混ざった状態で集められる。一方、図１２に示す刃台２を利用する場合には、おろし刃２４によりすりおろされたおろし状調理片がおろし刃２４の落とし孔２５から受け容器１に落ちて互いに混ざった状態で集められる。これらの調理片は、各収容筒部３４の案内室３５で回転による遠心力により外側へ流れても、周壁３２の内面３２ａと両仕切板３３の内面３３ｂとによりなるＵ状の曲面に案内されて内側に集まり易くなる。
【００３０】
なお、図示しないが、調理器を下記のように構成してもよい。
前記収容体において、周壁の内面に複数の着脱溝を周方向へ等間隔で並設するとともに、この各着脱溝のうち任意の複数の着脱溝に対し仕切板を着脱可能に支持して周方向へ並設する。前記押圧体において、一枚の押え板に前記着脱溝の数だけ切込みを周方向へ等間隔で並設し、この押え板を収容体の周壁内に押し込んで各仕切板を各切込みに挿入する。この各仕切板間の案内室に入れた被調理物をこの押え板により押しながら押圧体を収容体とともに回転させると、被調理物がスライド面に沿って回転しながら調理される。
【図面の簡単な説明】
【００３１】
【図１】本実施形態にかかる調理器を示す分解斜視図である。
【図２】本実施形態にかかる調理器を示す組付け正面図である。
【図３】図２のＡ−Ａ線横断面図である。
【図４】図３の収容体を示す平面図である。
【図５】図３の押圧体を示す底面図である。
【図６】（ａ）は本実施形態にかかる調理器を示す縦断面図であり、（ｂ）は（ａ）のスライス刃を示す部分断面図である。
【図７】（ａ）は本実施形態にかかる調理器を示す縦断面図であり、（ｂ）は（ａ）の千切り刃を示す部分断面図である。
【図８】上記調理器の刃台を示す平面図である。
【図９】（ａ）は図８に示す刃台の部分平面図であり、（ｂ）は図８に示す刃台の部分底面図である。
【図１０】（ａ）は上記調理器の刃台の別状態を示す平面図であり、（ｂ）はその刃台を示す部分縦断面図であり、（ｃ）は（ｂ）の千切り刃を示す部分断面図である。
【図１１】（ａ）は上記調理器の刃台の別状態を示す平面図であり、（ｂ）はその刃台を示す部分縦断面図である。
【図１２】刃台の別例を示す平面図である。
【符号の説明】
【００３２】
２…刃台、５…収容体、６…押圧体、１０ａ…スライド面、１３…スライス刃（調理刃）、１４，１５…千切り刃（調理刃）、２４…おろし刃、３２…収容体の周壁（区画壁）、３３…収容体の仕切板（区画壁）、３３ａ…内端部、３４…収容体の収容筒部、３５…収容体の案内室、３５ａ…押圧開口部、３５ｂ…操作開口部、３６…収容体の支持孔、３７…収容体の隙間、３８…収容体の回転支持凹部（回転中心部）、４０…押圧体の回転中心軸、４１…押圧体の腕部、４２…押圧体の押え板、Ｇ…挿入許容間隙、Ｘ…回転方向、Ｙ…半径方向。
【図１】
0004837319.tif 000002
【図２】
0004837319.tif 000003
【図３】
0004837319.tif 000004
【図４】
0004837319.tif 000005
【図５】
0004837319.tif 000006
【図６】
0004837319.tif 000007
【図７】
0004837319.tif 000008
【図８】
0004837319.tif 000009
【図９】
0004837319.tif 000010
【図１０】
0004837319.tif 000011
【図１１】
0004837319.tif 000012
【図１２】
0004837319.tif 000013